(57)【要約】【課題】無線通信を可能するとともに特定の端末以外の接続を制限する。【解決手段】通信装置１３と、表示装置１４と、入力装置１５とを有し、端末と無線通信を行うプリンタであって、制御部１００と、記憶部１０５とを有し、制御部１００は、無線通信に使う認証情報を生成する認証情報生成部１０３と、記憶部１０５に格納される接続端末情報１０５１を使って接続を管理する接続管理部１０４とを有する。【選択図】図２
2008213294.tif 000002
【特許請求の範囲】
【請求項１】
外部の端末と無線通信を行うプリンタであって、
ユーザの操作を受け付ける入力装置と、
画面情報を表示するための表示装置と、
無線通信を行う通信装置と、
接続された前記端末を識別するための識別情報を格納する記憶装置と、
無線通信の制御を行う機能を有する中央演算処理装置と、を備え、
前記中央演算処理装置は、
前記端末との接続の管理を行う接続管理手段と、
無線通信に使用する認証情報を生成するための操作を、前記入力装置を介して受け付け
て前記認証情報を生成し、当該認証情報を前記表示装置に表示させる認証情報生成手段と
、を有し、
前記接続管理手段は、
前記通信装置が前記認証情報を使用して前記端末と無線通信接続を確立すると、当該接
続の前記識別情報を、前記記憶装置に格納しておき、
その後の無線通信接続処理において、前記記憶装置に格納した前記識別情報と、当該無
線通信接続処理において使われている前記識別情報とが一致するかを判定し、一致しない
場合、前記通信装置に当該無線通信接続処理を終了させること、
を特徴とするプリンタ。
【請求項２】
請求項１に記載のプリンタであって、
前記接続管理手段は、
前記通信装置が前記認証情報を使用して前記端末と無線通信接続を確立すると、当該接
続の前記識別情報を、前記記憶装置に格納するとともに、前記表示装置に表示された前記
認証情報の表示を無効にすること、
を特徴とするプリンタ。
【請求項３】
請求項１および２いずれか一項に記載のプリンタであって、
前記識別情報は、前記認証情報と、前記端末のＭＡＣアドレスとを有することを特徴と
するプリンタ。
【請求項４】
請求項３に記載のプリンタであって、
前記認証情報生成手段は、
第一の認証情報および第二の認証情報のいずれか一方を生成する操作を、前記入力装置
を介して受け付けて当該操作に応じた認証情報を生成し、
前記接続管理手段は、
前記通信装置が前記第一または第二の認証情報を使用して前記端末と無線通信接続を確
立すると、当該接続の前記識別情報を、前記記憶装置に格納しておき、
前記通信装置が前記第一の認証情報を使用した無線通信接続を切断すると、当該接続に
対応する前記識別情報を、前記記憶装置から削除すること、
を特徴とするプリンタ。
【請求項５】
請求項４に記載のプリンタであって、
前記表示装置は、
前記第一の認証情報を表示させるための項目と、前記第二の認証情報を表示させるため
の項目を有する第一の画面と、
前記認証情報生成手段により生成された前記認証情報を表示する領域を有する第二の画
面と、を表示すること、
を特徴とするプリンタ。
【発明の詳細な説明】
【技術分野】
【０００１】
本発明は、外部端末と無線接続可能なプリンタに関する。
【背景技術】
【０００２】
プリンタ、デジタルカメラ、携帯電話、パソコン等の端末間で、無線データ通信を実現
するための様々な規格が知られている。例えば、ＩＥＥＥ８０２．１１などの無線ＬＡＮ
の標準規格群がある。また、これらの規格のセキュリティ機能を強化するための規格が知
られている。例えば、ＩＥＥＥ８０２．１ｘを利用した規格がある。
【０００３】
無線ＬＡＮのセキュリティ機能を使用する場合には、ネットワークに関する情報（ネッ
トワークタイプ、ＳＳＩＤ等）や、暗号化に関する情報（ＷＥＰ、ＷＰＡ、パスワード等
）などの設定情報を、各端末に設定する必要があり、設定操作が煩雑である。これについ
ては、無線ＬＡＮのセキュリティ機能の設定を簡素化した簡単設定規格が業界団体により
提案されている。簡単設定規格のうちの一方式として、端末を識別するためのＰＩＮ（Ｐ
ｅｒｓｏｎａｌ  Ｉｄｅｎｔｉｆｉｃａｔｉｏｎ  Ｎｕｍｂｅｒ）コードを用いた方式が
ある。これは、無線ＬＡＮに新たに接続する端末（Ｅｎｒｏｌｌｅｅ）に設定するＰＩＮ
コードと、当該無線ＬＡＮを管理する端末（Ｒｅｇｉｓｔｒａｒ）に設定するＰＩＮコー
ドと合わせることにより、自動的に設定情報の送受信および設定が行われ、セキュリティ
機能を使った接続が確立される。
【０００４】
一方、プリンタやデジタルカメラ等の端末は、文字等を入力するためのインタフェース
が貧弱である。そして、無線データ通信を確立するために必要な設定情報を設定する操作
は煩雑であるため、通信を確立することが困難である。これについては、特許文献１に、
端末間で直接通信を行う場合において、表示装置を備える接続先の端末が表示した認証情
報、または、印刷した認証情報を撮影し、当該認証情報を使って接続先の端末との無線接
続を確立するデジタルカメラが記載されている。
【０００５】
【特許文献１】特開２００４−１５２８４
【発明の開示】
【発明が解決しようとする課題】
【０００６】
無線ＬＡＮ端末間の直接通信（アドホックモード）において、通信を行うべき一方の端
末が、接続に必要な認証情報（設定情報、または、簡単設定規格の場合はＰＩＮコード）
、を表示または印刷し、他方の端末が、表示された認証情報を撮影して、当該認証情報を
用いた無線ＬＡＮ接続を確立することが可能である。例えば、インタフェースが簡素なプ
リンタやデジタルカメラ等の端末間においては有効である。
【０００７】
しかし、表示または印刷された認証情報は誰でも撮影可能であるため、悪意を持った者
により撮影されるおそれがある。その者により、当該認証情報を使って接続先端末へ接続
が行われ、個人情報や機密情報の複製や消去がされるおそれがある。
【０００８】
本発明の目的は、インタフェースが簡素な端末間の直接通信において、無線ＬＡＮ通信
を可能とするとともに、特定の端末以外の接続を制限してセキュリティを高める技術を提
供することにある。
【課題を解決するための手段】
【０００９】
上記課題を解決するため、第１の態様は、外部の端末と無線通信を行うプリンタであっ
て、ユーザの操作を受け付ける入力装置と、画面情報を表示するための表示装置と、無線
通信を行う通信装置と、接続された前記端末を識別するための識別情報を格納する記憶装
置と、無線通信の制御を行う機能を有する中央演算処理装置と、を備え、前記中央演算処
理装置は、前記端末との接続の管理を行う接続管理手段と、無線通信に使用する認証情報
を生成するための操作を、前記入力装置を介して受け付けて前記認証情報を生成し、当該
認証情報を前記表示装置に表示させる認証情報生成手段と、を有し、前記接続管理手段は
、前記通信装置が前記認証情報を使用して前記端末と無線通信接続を確立すると、当該接
続の前記識別情報を、前記記憶装置に格納しておき、その後の無線通信接続処理において
、前記記憶装置に格納した前記識別情報と、当該無線通信接続処理において使われている
前記識別情報とが一致するかを判定し、一致しない場合、前記通信装置に当該無線通信接
続処理を終了させることを特徴とする。また、前記接続管理手段は、前記通信装置が前記
認証情報を使用して前記端末と無線通信接続を確立すると、当該接続の前記識別情報を、
前記記憶装置に格納するとともに、前記表示装置に表示された前記認証情報の表示を無効
にする構成とすることができる。
【００１０】
また、前記プリンタにおいて、前記識別情報は、前記認証情報と、前記端末のＭＡＣア
ドレスとを有することができる。
【００１１】
また、前記プリンタにおいて、前記認証情報生成手段は、第一の認証情報および第二の
認証情報のいずれか一方を生成する操作を、前記入力装置を介して受け付けて当該操作に
応じた認証情報を生成し、前記接続管理手段は、前記通信装置が前記第一または第二の認
証情報を使用して前記端末と無線通信接続を確立すると、当該接続の前記識別情報を、前
記記憶装置に格納しておき、前記通信装置が前記第一の認証情報を使用した無線通信接続
を切断すると、当該接続に対応する前記識別情報を、前記記憶装置から削除する構成とす
ることができる。
【００１２】
また、前記プリンタにおいて、前記表示装置は、前記第一の認証情報を表示させるため
の項目と、前記第二の認証情報を表示させるための項目を有する第一の画面と、前記認証
情報生成手段により生成された前記認証情報を表示する領域を有する第二の画面とを表示
することができる。
【発明を実施するための最良の形態】
【００１３】
以下、図面を参照して、第１の実施形態について説明する。
【００１４】
図１は、第１の実施形態が適用されるシステムの概略、および、プリンタの内部構成を
示すブロック図である。
【００１５】
プリンタ１は、ＣＰＵ１０、ＲＡＭ１１、フラッシュメモリ１２、通信装置１３、表示
装置１４、入力装置１５、画像処理部１６、および、印刷エンジン１７を有する。プリン
タ１は、通信装置１３を介して、デジタルカメラ２等の外部の端末と無線により通信を行
う。デジタルカメラ２等の端末は、プリンタ１に印刷データを送信し、プリンタ１は受信
した印刷データの印刷などを行う。
【００１６】
デジタルカメラ２は、簡易な入力インタフェース、例えば、方向キーや決定キーなど必
要最低限のキーを有する。デジタルカメラ２は、撮影した画像データを解析し、文字列の
認証情報を抽出する処理を行う。また、当該認証情報を使ってプリンタ１と無線ＬＡＮ接
続および通信を行う。なお、本実施形態ではデジタルカメラ２を例に挙げているがこれに
限られない。撮影処理、認証情報抽出処理、無線ＬＡＮ接続および通信処理を行うことが
できる端末であればよい。例えば、携帯電話、携帯情報端末などであってもよい。
【００１７】
認証情報は、端末毎、接続毎、ユーザ毎に異なる情報である。例えば、無線ＬＡＮ設定
情報や、簡単設定規格の場合はＰＩＮコードなどである。これらの認証情報は、送受信す
るデータの暗号化・復号化、認証等に使用されるため、通信を行う端末間でそれぞれに同
一の内容の設定を行う必要がある。本実施形態では、プリンタ１とデジタルカメラ２に同
一の認証情報が設定される必要がある。
【００１８】
ＣＰＵ１０は、各種プログラムの実行や、各種装置の制御を行う中央演算処理装置であ
る。ＲＡＭ１１は、実行するプログラムの格納や一時的なデータの格納を行うための記憶
装置である。書き換え可能な不揮発性メモリ、たとえば、フラッシュメモリ１２は、プリ
ンタ１の制御に使用するプログラムやデータ、アプリケーションプログラムなどが格納さ
れる記憶装置である。このほか、ハードディスク等を用いることもできる。本実施形態で
は、プリンタ１は、複数の接続相手端末の識別情報を、フラッシュメモリ１２に記憶する
。当該識別情報の読み書きを行い、また、識別情報をプリンタの再起動時にも保持してお
く必要があるためである。識別情報については後述する。
【００１９】
通信装置１３は、外部端末とのデータの送受信を行うためのインタフェースであり、無
線ＬＡＮの規格に従って構成される。例えば、物理層やＭＡＣ層の制御を行い、データの
送受信を無線により行う。また、ＣＰＵ１０により無線ＬＡＮの設定情報や認証情報が設
定され、無線ＬＡＮの接続や通信に関する制御情報をＣＰＵ１０へ通知またはＣＰＵ１０
から取得する。
【００２０】
表示装置１４は、ユーザに閲覧させるための画面を表示する装置であり、例えば、液晶
ディスプレイ（ＬＣＤ）などにより構成される。入力装置１５は、プリンタ１への操作を
受け付けるための装置であり、例えば、文字・数字・方向キーなどで構成される。表示と
入力の機能を兼ねたタッチパネルであってもよい。
【００２１】
画像処理部１６は、入力された画像データについてハーフトーニングなどの処理を行っ
て印刷可能なデータに変換し、印刷エンジン１７に出力する。印刷エンジン１７は、受け
付けた印刷画像データに従って、紙に印刷を行う。
【００２２】
図２は、第１の実施形態が適用されるプリンタの有する各機能を示すブロック図である
。なお、本発明においては、印刷は主要な機能ではないためこれに関する機能の説明を省
略する。
【００２３】
プリンタ１は、制御部１００、記憶部１０５を有する。
【００２４】
制御部１００は、通信装置１３、表示装置１４、入力装置１５、および記憶部１０５の
制御を行い、プリンタ１全体の制御を行う。制御部１００は、例えば、プリンタ１上にお
いて、予めフラッシュメモリ１２（図１参照）に記憶されたプログラムが、ＣＰＵ１０に
よりＲＡＭ１１上に読み出されて実行されることにより実現される。制御部１００上には
、認証情報生成部１０３および接続管理部１０４が構築される。制御部１００は、例えば
、インタフェース画面情報を表示装置１４に表示させる処理、入力装置１５を介して受け
付けたユーザによる操作に応じたインタフェース画面情報の遷移処理などを行う。画面情
報は、例えば、予めフラッシュメモリ１２に格納されている。また、制御部１００は、認
証情報生成部１０３および接続管理部１０４により、無線ＬＡＮ接続や通信を行う通信装
置１３の制御を行う。
【００２５】
記憶部１０５は、例えば、データなどを継続的に格納しておく場合には、フラッシュメ
モリ１２により実現され、データなどを一時的に格納しておく場合には、ＲＡＭ１１によ
り実現される。接続端末情報１０５１は、プリンタ１の電源がオフにされた後にも保持さ
れる必要があるので、フラッシュメモリ１２上に格納されるのが好ましい。
【００２６】
認証情報生成部１０３は、入力装置１５を介して認証情報の生成の指示を受け付けて、
認証情報を生成し、当該認証情報を画像データに変換して表示装置１４に表示させる。
【００２７】
具体的には、認証情報生成部１０３は、接続を行う相手端末毎に、乱数を利用した任意
の認証情報１０５４を生成する。認証情報１０５４は、例えば、数字列、文字列、または
、数字と文字を組み合わせたものであり、Ｅｎｒｏｌｌｅｅに設定するＰＩＮコードや、
ネットワークや暗号化に関する設定情報などを含む情報とすることができる。また、生成
した認証情報１０５４をバーコードや画像データに変換し、表示装置１４に表示する。な
お、画像データには二次元バーコードやデザインバーコードなどを含む。生成した認証情
報１０５４は、接続管理部１０４で管理されるとともに、通信装置１３における通信や接
続処理で使用される。
【００２８】
接続管理部１０４は、相手端末との接続の管理を行う。また、通信装置１３が、認証情
報生成部１０３に生成された認証情報１０５４を使って相手端末との通信の接続処理を行
う際に、相手端末の認証などを行う。
【００２９】
具体的には、接続管理部１０４は、記憶部１０５を使って接続する相手端末を識別する
ための識別情報（接続端末情報１０５１）を管理する。接続端末情報１０５１は、例えば
、相手端末のＭＡＣアドレス１０５２、接続の種別１０５３（ワンタイムまたは恒久）、
および、認証情報１０５４を有する。ワンタイムとは、接続処理に使われた認証情報は、
当該接続について一度限りしか使うことができないことを意味する。当該接続を切断した
場合は、同じ認証情報を使って再接続することはできない。恒久とは、同じ認証情報を使
った接続を何度でもできることを意味する。従って、接続管理部１０４は、ワンタイムの
認証情報１０５４を使った接続が切断された場合は、当該端末についての接続端末情報１
０５１を記憶部１０５から削除する。また、プリンタ１の電源がオフにされた場合も同様
である。恒久の認証情報１０５４を使って接続した端末の接続端末情報１０５１について
は、接続の切断およびプリンタ１の電源オフによっては削除しない。
【００３０】
通信装置１３が行う接続処理において、接続管理部１０４は、相手端末が接続処理に使
用している認証情報が、認証情報部が生成した認証情報１０５４と一致するかを判断する
。認証情報が一致しないと判断した場合は通信装置１３に接続処理を中止させる。認証情
報が一致し、接続処理が完了した場合は、当該端末についての接続端末情報１０５１を記
憶部１０５に格納する。また、接続端末情報１０５１が記憶部１０５に格納されている状
態で、当該接続端末情報１０５１に含まれる認証情報１０５４と同一の認証情報を使って
他の端末が接続処理を要求してきた場合、ＭＡＣアドレス１０５２が一致するかを判断す
る。ＭＡＣアドレスが一致しない場合は通信装置１３に接続処理を中止させる。
【００３１】
次に、図３を参照して、第１の実施形態に係る無線ＬＡＮの接続の制御について説明す
る。ここでは、ユーザがデジタルカメラをプリンタに接続するものとして説明する。
【００３２】
先ず、制御部１００は、ユーザａの操作入力を促す画面情報（図示しない）を表示装置
１４に表示する。当該画面情報は、例えば、プリンタの様々な機能の一覧を表示したメニ
ュー画面である。機能の一覧の中には、ユーザの端末とプリンタの間で無線ＬＡＮの接続
を行うための項目を表示する。制御部１００は、入力装置１５を介してユーザａの操作を
受け付け、選択された項目に対応する画面情報を表示する。無線ＬＡＮの接続を行うため
の項目が選択された場合、図５（５−Ａ）に示す画面情報を表示する。
【００３３】
ここで、無線ＬＡＮ接続を行うための画面情報について説明する。無線ＬＡＮ接続を行
うための画面情報は、例えば、図５に示すように構成される。各画面情報は、タイトルエ
リア５０１と、主エリア５０２とを有する。タイトルエリア５０１には、画面タイトルを
表示する。また、主エリア５０２には、設定や画面情報の遷移などを行うための項目ボタ
ンを表示する。
【００３４】
画面情報（５−Ａ）は、無線ＬＡＮ接続を手動設定で行うか簡単設定で行うかの入力を
ユーザに促すための画面である。主エリア５０２には、当該画面情報の前に表示していた
画面情報に戻るためのＣａｎｃｅｌボタン５０３と、手動設定を開始するための手動設定
ボタン５１０と、簡単設定を開始するための簡単設定ボタン５１１とを表示する。
【００３５】
画面情報（５−Ｂ）は、画面情報（５−Ａ）において簡単設定ボタンが選択された場合
に表示される。主エリア５０２には、当該画面情報の前に表示していた画面情報に戻るた
めのＣａｎｃｅｌボタン５０３と、ワンタイム接続ための認証情報を表示させるためのワ
ンタイムボタン５１２と、恒久接続のための認証情報の設定を開始するための恒久ボタン
５１３とを表示する。
【００３６】
画面情報（５−Ｃ）は、画面情報（５−Ｂ）において恒久ボタン５１３が選択された場
合に表示される。主エリア５０２には、当該画面情報の前に表示していた画面情報に戻る
ためのＣａｎｃｅｌボタン５０３と、恒久接続ための認証情報を表示させるための新規ボ
タン５１４と、恒久接続に関する設定を開始するためのオプションボタン５１５とを表示
する。
【００３７】
画面情報（５−Ｄ）は、画面情報（５−Ｂ）においてワンタイムボタン５１２が選択さ
れた場合と、画面情報（５−Ｃ）において新規ボタン５１４が選択された場合に表示され
る。主エリア５０２には、画像データである認証情報５１６を表示する領域５１７と、表
示した認証情報５１６を消すためのＯＫボタン５０４とを表示する。
【００３８】
制御部１００は以上のような画面情報を表示装置１４に表示させ、入力装置１５を介し
たユーザａの指示を受け付ける。画面情報（５−Ｂ）においてワンタイムボタン５１２が
選択された場合、または、画面情報（５−Ｃ）において新規ボタン５１４が選択された場
合、認証情報生成部１０３は、選択された種別ワンタイムまたは恒久に対応した認証情報
１０５４を、乱数を用いて生成する。また、認証情報生成部１０３は、認証情報１０５４
を画像データに変換して認証情報５１６を生成し、認証情報５１６を表示装置１４に表示
させる。認証情報１０５４は接続処理の認証に使われるため、接続管理部１０４は、当該
認証情報１０５４およびその種別を、接続端末情報１０５１として記憶部１０５に格納す
る（Ｓ３０１）。
【００３９】
次に、デジタルカメラ２ａは、ユーザａの指示に従って認証情報５１６を撮影する（Ｓ
３０２）。デジタルカメラ２ａは、撮影された画像を解析し、文字列の認証情報１０５４
を抽出する（Ｓ３０３）。また、当該認証情報を使ってプリンタ１と無線ＬＡＮ接続処理
を開始する（Ｓ３０４）。無線ＬＡＮ接続処理は、認証情報１０５４の抽出後自動的に開
始するか、または、ユーザの操作を促す画面情報を表示して指示の入力を受け付けてから
開始してもよい。
【００４０】
通信装置１３によりデジタルカメラ２ａとの接続処理が開始されると、接続管理部１０
４は、当該接続処理に使われている認証情報が、記憶部１０５に格納されている認証情報
１０５４と一致するかを判定する。一致する場合は、認証情報５１６を表示してから予め
定められた時間内に接続処理が開始されたかを判定する（Ｓ３０５）。当該時間を超えて
いると判定した場合は、認証情報５１６の表示を無効にし（消去し）、記憶部１０５に格
納された認証情報１０５４を削除し、通信装置１３に接続処理を終了させる（Ｓ３０８）
。当該時間内であると判定した場合は、接続処理の完了後、認証情報５１６の表示を無効
にし（消去し）、デジタルカメラ２ａのＭＡＣアドレスを、接続端末情報１０５１として
、種別１０５３および認証情報１０５４と対応付けて記憶部１０５に格納する（Ｓ３０６
）。なお、デジタルカメラ２ａのＭＡＣアドレスは、接続処理中に受信したＭＡＣフレー
ムから取得することができる。認証情報５１６の表示を無効にした後は、例えば、プリン
タの様々な機能の一覧を表示したメニュー画面を表示させてもよい。
【００４１】
以上のように、デジタルカメラ２ａとプリンタ１は無線ＬＡＮにより接続される。以降
、デジタルカメラ２ａは、例えば、画像データをプリンタ１に送信することができる。ま
た、プリンタ１は、当該画像データを印刷することができる。
【００４２】
ここで、ユーザａの操作により表示された認証情報５１６を、デジタルカメラ２ｂがユ
ーザｂの指示に従って撮影したものとする（Ｓ３０２ｂ）。デジタルカメラ２ｂは、撮影
された認証情報５１６を解析し、認証情報１０５４を抽出する（Ｓ３０３ｂ）。また、当
該認証情報を使ってプリンタ１００と無線ＬＡＮ接続処理を開始する（Ｓ３０４ｂ）。な
お、認証情報５１６を撮影する装置と、当該画像データから文字列の認証情報１０５４を
抽出する装置と、当該認証情報を使ってプリンタに無線ＬＡＮ接続する装置は別であって
もよいし、それらの一部の組み合わせであってもよい。
【００４３】
通信装置１３によりデジタルカメラ２ｂとの接続処理が開始されると、接続管理部１０
４は、当該接続処理に使われている認証情報が、記憶部１０５に格納されている認証情報
１０５４と一致するかを判定する。一致する場合、当該認証情報１０５４に対応するＭＡ
Ｃアドレス１０５２と、接続処理で受信したＭＡＣフレームの送信元ＭＡＣアドレス（デ
ジタルカメラ２ｂのＭＡＣアドレス）が一致するかを判定する（Ｓ３０７）。ＭＡＣアド
レスが一致しない場合、デジタルカメラ２ｂの接続はなりすましとみなして通信装置１３
に接続処理を終了させる（Ｓ３０８）。
【００４４】
次に、図４を参照して、恒久またはワンタイムの認証情報を使った接続の制御について
説明する。ここで、デジタルカメラ２ａは恒久接続の認証情報１０５４を、デジタルカメ
ラ２ｂはワンタイム接続の認証情報１０５４を、それぞれ使ってプリンタと無線ＬＡＮ接
続を完了しているものとする。従って、記憶部１０５には、デジタルカメラ２ａのＭＡＣ
アドレス１０５２・種別（恒久）１０５３・認証情報１０５４と、デジタルカメラ２ｂの
ＭＡＣアドレス１０５２・種別（ワンタイム）１０５３・認証情報１０５４が、接続端末
情報１０５１として格納されている。
【００４５】
プリンタ１の電源がオフまたは無線ＬＡＮ接続が切断されると、接続管理部１０４は、
種別１０５３がワンタイムであるデジタルカメラ２ｂについての接続端末情報１０５１を
削除する（Ｓ３０９）。種別１０５３が恒久であるデジタルカメラ２ａの接続端末情報１
０５１は削除しない。
【００４６】
その後（電源オフであった場合は、電源オンの後）、通信装置１３によりデジタルカメ
ラ２ａまたは２ｂとの接続処理が開始されると、接続管理部１０４は、接続処理に使われ
ている認証情報が、記憶部１０５に格納されている認証情報１０５４と一致するかを判定
する（Ｓ３０７）。デジタルカメラ２ａの場合、種別１０５３は恒久であるため、記憶部
１０５に格納された認証情報１０５４と一致し、またＭＡＣアドレス１０５２も一致する
ため、接続管理部１０４は、通信装置１３に当該接続処理を最後まで行わせる。一方、デ
ジタルカメラ２ｂの場合、種別１０５３はワンタイムであるため、記憶部１０５には格納
されておらず、接続管理部１０４は、通信装置１３に当該接続処理を終了させる（Ｓ３０
８）。デジタルカメラ２ｂがプリンタ１と接続するためには、新しく生成した認証情報１
０５４を使う必要がある。
【００４７】
以上、第１の実施形態について説明した。第１の実施形態により、インタフェースが簡
素な端末間の直接通信において無線ＬＡＮ通信を可能とするとともに、認証情報が盗撮さ
れた場合であっても、特定の端末以外の接続を制限してセキュリティを高めることができ
る。また、接続処理が完了した場合に認証情報の表示を無効とすることにより、端末の接
続が成功したことをユーザに認識させることができる。そして、ユーザが表示させた認証
情報を撮影する前にその表示が無効となった場合、当該認証情報が他人に盗撮されて使用
されたことをユーザに気付かせることができる。さらに、ワンタイムの認証情報を使うこ
とで、漏洩するおそれのある恒久の認証情報の増加を防ぎ、さらにセキュリティを高める
ことができる。
【００４８】
なお、プリンタは、図５に示すように画面情報（５−Ｅ）を有していてもよい。画面情
報（５−Ｃ）においてオプション５１５が選択された場合に表示される。主エリア５０２
には、当該画面情報の前に表示していた画面情報に戻るためのＣａｎｃｅｌボタン５０３
と、恒久接続を有効にするか無効にするか（無効の場合はワンタイム接続しか使うことが
できない）を選択するための恒久接続設定ボタン５１８と、恒久接続することができる端
末の数を設定するための恒久接続数設定ボタン５１９と、接続端末情報が記憶部１０５に
格納された恒久接続を削除するための恒久接続削除ボタン５２０とを表示する。
【００４９】
認証情報生成部１０３は、恒久接続が無効に設定されている場合、恒久接続についての
認証情報１０５４の生成は行わず、例えば、画面情報（５−Ｄ）において認証情報５１６
の替わりに恒久接続は無効である旨を表示させることができる。公共の場で使われるプリ
ンタ等においては、恒久接続の認証情報の漏洩や盗聴によってアクセスされることを防ぐ
ために効果的である。また、恒久接続数の制限についても、認証情報の漏洩や盗聴の可能
性を低くすることができる点で効果的である。
【００５０】
以上、本発明について、例示的な実施形態と関連させて記載した。多くの代替物、修正
および変形例が当業者にとって明らかであることは明白である。したがって、上に記載の
本発明の実施形態は、本発明の要旨と範囲を例示することを意図し、限定するものではな
い。
【図面の簡単な説明】
【００５１】
【図１】第１の実施形態が適用されるシステムの概略、および、プリンタの内部構成を示すブロック図。
【図２】第１の実施形態が適用されるプリンタの有する各機能を示すブロック図。
【図３】第１の実施形態に係る無線ＬＡＮ接続の制御を説明するシーケンス図。
【図４】第１の実施形態に係る無線ＬＡＮ接続の制御を説明するシーケンス図。
【図５】第１の実施形態に係るプリンタの有する画面情報の例を示す図。
【図６】第１の実施形態に係るプリンタの有する画面情報の例を示す図。
【符号の説明】
【００５２】
１・・・プリンタ、２・・・デジタルカメラ、１０・・・ＣＰＵ、１１・・・ＲＡＭ、
１２・・・フラッシュメモリ、１３・・・通信装置、１４・・・表示装置、１５・・・入
力装置、１６・・・画像処理部、１７・・・印刷エンジン、１００・・・制御部、１０３
・・・認証情報生成部、１０４・・・接続管理部、１０５・・・記憶部、１０５１・・・
接続端末情報、１０５２・・・ＭＡＣアドレス、１０５３・・・種別、１０５４・・・認
証情報、５０１・・・タイトルエリア、５０２・・・主エリア、５０３・・・Ｃａｎｃｅ
ｌボタン、５０４・・・ＯＫボタン、５１０・・・手動設定ボタン、５１１・・・簡単設
定ボタン、５１２・・・ワンタイムボタン、５１３・・・恒久ボタン、５１４・・・新規
ボタン、５１５・・・オプションボタン、５１６・・・認証情報、５１７・・・領域、５
１８・・・恒久接続設定ボタン、５１９・・・恒久接続数設定ボタン、５２０・・・恒久
接続削除ボタン。
【図１】
2008213294.tif 000003
【図２】
2008213294.tif 000004
【図３】
2008213294.tif 000005
【図４】
2008213294.tif 000006
【図５】
2008213294.tif 000007
【図６】
2008213294.tif 000008